(57)【要約】【課題】タブレット型電子機器の吸着用座盤構造を提供する。【解決手段】  タブレット型電子機器の吸着用座盤構造は、ベース１０、吸盤２０、制御ハンドル３０及び錠前４０を備える。ベース１０は、一方の端面に凹設された収納槽１１と、他方の端面に形成された中空室とを有する。収納槽１１と中空室との間には、貫通孔１３が設けられる。収納槽１１には、バンプ１４が形成される。バンプ１４の頂端には、ロック孔１４１が設けられる。吸盤２０は、ベース１０の中空室に取り付けられる。吸盤２０には、貫通孔１３に挿入する杆体２１が延設される。制御ハンドル３０は、一方の端部に設けられた軸孔３１と、他方の端部に設けられた穿孔３２とを有するとともに、ベース１０の収納槽１１内に取り付けられ、制御ハンドル３０の軸孔３１と吸盤２０の杆体２１とに軸支ピン３３を挿設させて制御ハンドル３０と杆体２１とを枢着させる。【選択図】図２
0003180374.tif 000002
【実用新案登録請求の範囲】
【請求項１】
ベース、吸盤、制御ハンドル及び錠前を備えたタブレット型電子機器の吸着用座盤構造であって、
前記ベースは、一方の端面に凹設された収納槽と、他方の端面に形成された中空室とを有し、前記収納槽と前記中空室との間には、貫通孔が設けられ、前記収納槽には、バンプが形成され、前記バンプの頂端には、ロック孔が設けられ、
前記吸盤は、前記ベースの前記中空室に取り付けられ、前記吸盤には、前記貫通孔に挿入する杆体が延設され、
前記制御ハンドルは、一方の端部に設けられた軸孔と、他方の端部に設けられた穿孔とを有するとともに、前記ベースの前記収納槽内に取り付けられ、前記制御ハンドルの前記軸孔と前記吸盤の前記杆体とに軸支ピンを挿設させて前記制御ハンドルと前記杆体とを枢着させ、前記制御ハンドルの前記穿孔に前記ベースの前記バンプを嵌合させ、
前記錠前は、一方の端部に突設された回動自在なＴ字状ヘッドと、他方の端部に接続された弾性ワイヤとを有し、前記Ｔ字状ヘッドを前記ベースの前記ロック孔に挿入して前記Ｔ字状ヘッドを回すと、前記錠前と前記ベースとが係止状態となり、前記制御ハンドルの前記穿孔の端部に前記バンプを固定し、前記吸盤を前記タブレット型電子機器に吸着させる際に錠止し、前記弾性ワイヤにより前記錠前を固定物に接続させることを特徴とするタブレット型電子機器の吸着用座盤構造。
【請求項２】
前記ベースは、前記収納槽の両側に凹設された弧形部を有し、前記弧形部により手で持ち易くすることを特徴とする請求項１に記載のタブレット型電子機器の吸着用座盤構造。
【請求項３】
前記制御ハンドルは、前記軸孔の端部に支持部が形成され、前記支持部が前記ベースの前記収納槽の底部を押圧すると、反作用力を受けた前記杆体が前記吸盤を牽引しながら引き込まれ、前記吸盤の真空吸着を行うことを特徴とする請求項１に記載のタブレット型電子機器の吸着用座盤構造。
【考案の詳細な説明】
【技術分野】
【０００１】
本考案は、錠前構造に関するものであり、さらに詳しくは錠前と吸盤とを結合させるタブレット型電子機器の吸着用座盤構造に関するものである。
【背景技術】
【０００２】
現在、消費者に各種製品のサンプルを提供し、または商業情報を提供するインタフェースとして用いるタブレット型電子機器が卸市場や公共の場所などに設置されているが、このような方法により、タブレット型電子機器のサンプルを提供したり、タブレット型電子機器の操作によりユーザに製品のよりよい理解を得ることができるので、製品消費者との交互インターフェースを大きく向上させることができる。
【０００３】
しかし、タブレット型電子機器は小型で、単価が高いなどの特殊性により公共の場所に設置した場合、盗難され易いため、従来、タブレット型電子機器の多くは、フレームにより卓上に直接固定して盗難等に対する対策をとってきた。
【０００４】
しかしながら、タブレット型電子機器を卓上へ固定する場合、試用者が直接手に取ることができない上、操作したり観察することも不便である。一方、試用者がタブレット型電子機器を手に持ったときに軽さを体感することができないという欠点もあった。また、卓上へ固定する代わりに盗難防止用ワイヤを用いて製品を結合して固定するとしても、タブレット型電子機器が損壊したり、結び目の強度が十分でないなどの欠点を有するものであった。
【考案の概要】
【考案が解決しようとする課題】
【０００５】
従って、本考案の課題は、前記問題点に鑑み、タブレット型電子機器の吸着用座盤構造を提供することにある。
【課題を解決するための手段】
【０００６】
そこで、本考案者は、前記の本考察の課題を解決するために鋭意検討を重ねた結果、錠前と吸盤とを結合させることにより、前記課題を解決できる点に着目し、本考案に想到するに至った。
【０００７】
かくして、本考案によれば、ベース、吸盤、制御ハンドル及び錠前を備えたタブレット型電子機器の吸着用座盤構造であって、
前記ベースは、一方の端面に凹設された収納槽と、他方の端面に形成された中空室とを有し、前記収納槽と前記中空室との間には、貫通孔が設けられ、前記収納槽には、バンプが形成され、前記バンプの頂端には、ロック孔が設けられ、
前記吸盤は、前記ベースの前記中空室に取り付けられ、前記吸盤には、前記貫通孔に挿入する杆体が延設され、
前記制御ハンドルは、一方の端部に設けられた軸孔と、他方の端部に設けられた穿孔とを有するとともに、前記ベースの前記収納槽内に取り付けられ、前記制御ハンドルの前記軸孔と前記吸盤の前記杆体とに軸支ピンを挿設させて前記制御ハンドルと前記杆体とを枢着させ、前記制御ハンドルの前記穿孔に前記ベースの前記バンプを嵌合させ、
前記錠前は、一方の端部に突設された回動自在なＴ字状ヘッドと、他方の端部に接続された弾性ワイヤとを有し、前記Ｔ字状ヘッドを前記ベースの前記ロック孔に挿入して前記Ｔ字状ヘッドを回すと、前記錠前と前記ベースとが係止状態となり、前記制御ハンドルの前記穿孔の端部に前記バンプを固定し、前記吸盤を前記タブレット型電子機器に吸着させる際に錠止し、前記弾性ワイヤにより前記錠前を固定物に接続させることを特徴とするタブレット型電子機器の吸着用座盤構造が提供される。
【０００８】
前記ベースは、前記収納槽の両側に凹設された弧形部を有し、前記弧形部により手で持ち易くすることが好ましい。
【０００９】
前記制御ハンドルは、前記軸孔の端部に支持部が形成され、前記支持部が前記ベースの前記収納槽の底部を押圧すると、反作用力を受けた前記杆体が前記吸盤を牽引しながら引き込まれ、前記吸盤の真空吸着を行うことが好ましい。
【考案の効果】
【００１０】
本考案は、前記の通りの構成からなり、錠前の錠止により制御ハンドルの穿孔からバンプが外れることを防止できるので、錠前に接続された弾性ワイヤを固定物に巻きつけると、タブレット型電子機器を損壊せずに吸盤と錠前とを結合することにより固定することができる。
【図面の簡単な説明】
【００１１】
【図１】本考案の一実施形態に係るタブレット型電子機器の吸着用座盤構造を示す斜視図である。
【図２】本考案の一実施形態に係るタブレット型電子機器の吸着用座盤構造を示す分解斜視図である。
【図３】本考案の一実施形態に係るタブレット型電子機器の吸着用座盤構造を示す断面図である。
【図４】本考案の一実施形態に係る吸着用座盤構造をタブレット型電子機器に取り付けるときの状態を示す動作図（１）である。
【図５】本考案の一実施形態に係る吸着用座盤構造をタブレット型電子機器に取り付けるときの状態を示す動作図（２）である。
【図６】本考案の一実施形態に係る吸着用座盤構造をタブレット型電子機器に取り付けるときの状態を示す動作図（３）である。
【図７】本考案の一実施形態に係るタブレット型電子機器を固定物に取り付けて使用するときの状態を示す模式図である。
【考案を実施するための形態】
【００１２】
以下、本考案の実施形態について図面に基づいて説明する。なお、これによって本考案が限定されるものではない。
【００１３】
図１、図２及び図３を参照する。図１、図２及び図３に示すように、本考案の一実施形態に係るタブレット型電子機器の吸着用座盤構造は、ベース１０、吸盤２０、制御ハンドル３０及び錠前４０を含む。ベース１０は、一方の端面に凹設された収納槽１１と、他方の端面に形成された中空室１２と、を有する。収納槽１１と中空室１２との間には、貫通孔１３が設けられる。ベース１０の収納槽１１には、バンプ１４が形成される。バンプ１４の頂端には、ロック孔１４１が設けられる。ベース１０は、収納槽１１の両側に凹設された弧形部１５を有する。弧形部１５は、手で持ち易くするために用いる。吸盤２０は、ベース１０の中空室１２に取り付けられる。吸盤２０には、ベース１０の貫通孔１３に挿入する杆体２１が延設される。制御ハンドル３０は、一方の端部に開設された軸孔３１と、他方の端部に開設された穿孔３２と、を有する。制御ハンドル３０は、ベース１０の収納槽１１内に取り付けられ、制御ハンドル３０の軸孔３１と吸盤２０の杆体２１とに軸支ピン３３を挿設させて制御ハンドル３０と杆体２１とを枢着させ、制御ハンドル３０の穿孔３２にベース１０のバンプ１４を嵌合する。制御ハンドル３０に設けられた軸孔３１の端部には、支持部３４が形成され、制御ハンドル３０の支持部３４がベース１０の収納槽１１の底部に押圧されると、杆体２１が反作用力を受けて吸盤２０を牽引しながら引き込まれ、吸盤２０により真空吸着を行う。錠前４０は、一方の端部に突設されて回動自在なＴ字状ヘッド４１と、他方の端部に接続された弾性ワイヤ４２と、を有する。錠前４０のＴ字状ヘッド４１をベース１０のロック孔１４１に挿入して、Ｔ字状ヘッド４１を回して錠前４０とベース１０とを係止状態にし、制御ハンドル３０の穿孔３２の端部にバンプ１４を固定し、図７に示すように、吸盤２０をタブレット型電子機器Ａに吸着させる際に錠止し、弾性ワイヤ４２により錠前４０を固定物に接続すると、タブレット型電子機器Ａの表面を損壊させずに盗難防止の効果を得ることができる。
【００１４】
図２〜図７に示すように、吸盤２０をベース１０の中空室１２へ取り付け、ベース１０の貫通孔１３に杆体２１を挿入すると、収納槽１１から杆体２１が突出され、制御ハンドル３０が収納槽１１に設置され、軸孔３１及び杆体２１に軸支ピン３３を挿設させることにより、制御ハンドル３０と杆体２１とが枢着され、実際に使用する際、制御ハンドル３０の支持部３４がベース１０に当接されていない状態で、吸盤２０の端部をタブレット型電子機器Ａの背面に接触させながら制御ハンドル３０を動かすと、軸支ピン３３を軸心として制御ハンドル３０が揺動し、制御ハンドル３０の支持部３４がベース１０の収納槽１１の底部に押圧され、制御ハンドル３０の反作用力を利用して杆体２１を収納槽１１の端面へ向けて牽引して移動させ、タブレット型電子機器Ａの吸盤２０が杆体２１により駆動され、凹部に変形されて吸盤２０がタブレット型電子機器Ａに対して真空吸着されるとともに、制御ハンドル３０の穿孔３２にベース１０のバンプ１４が嵌合されて錠前４０のＴ字状ヘッド４１をバンプ１４のロック孔１４１に挿入し、錠前４０のＴ字状ヘッド４１を回してロック孔１４１と交差された状態にすると、Ｔ字状ヘッド４１がロック孔１４１内に係止されるため、錠前４０の錠止により制御ハンドル３０の穿孔３２からバンプ１４が外れることを防ぎ、錠前４０に接続された弾性ワイヤ４２を固定物に巻きつけて固定すると、タブレット型電子機器Ａを損壊させずに吸盤２０と錠前４０とを結合させてタブレット型電子機器Ａが盗難されることを効果的に防ぐことができる。
【００１５】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１６】
Ａ  タブレット型電子機器
１０  ベース
１１  収納槽
１２  中空室
１３  貫通孔
１４  バンプ
１５  弧形部
２０  吸盤
２１  杆体
３０  制御ハンドル
３１  軸孔
３２  穿孔
３３  軸支ピン
３４  支持部
４０  錠前
４１  Ｔ字状ヘッド
４２  弾性ワイヤ
１４１  ロック孔
【図１】
0003180374.tif 000003
【図２】
0003180374.tif 000004
【図３】
0003180374.tif 000005
【図４】
0003180374.tif 000006
【図５】
0003180374.tif 000007
【図６】
0003180374.tif 000008
【図７】
0003180374.tif 000009